(57)【特許請求の範囲】
【請求項１】
画像形成装置本体の側面に傾倒可能に設けられた手差しトレイに取付部を介して当該手差しトレイの長さ方向で移動可能に取り付けられ、当該手差しトレイと共に長尺シートを載せる載置部を備え、
前記取付部は、前記手差しトレイから引き出された前記載置部を前記手差しトレイに対して上下方向に回動可能に支持させるとともに所定の傾倒角度で保持し、前記載置部が前記手差しトレイに対して上方に回動されて前記所定の傾倒角度の傾倒状態になったときに当該傾倒状態を保持するロック部を備えることを特徴とする長尺シート積載トレイ。
【請求項２】
請求項１に記載の長尺シート積載トレイにおいて、
前記載置部に前記載置部の長さ方向で移動可能に取り付けられ、前記手差しトレイ及び前記載置部と共に前記長尺シートを載せる延長載置部を備えることを特徴とする長尺シート積載トレイ。
【請求項３】
請求項１又は請求項２に記載の長尺シート積載トレイにおいて、
前記取付部に、前記載置部を支持して前記載置部の移動を案内するガイド部を設けたことを特徴とする長尺シート積載トレイ。
【請求項４】
請求項３に記載の長尺シート積載トレイにおいて、
前記取付部に、前記載置部の前記ガイド部との接触面を弾性力により押圧する押圧部を設けたことを特徴とする長尺シート積載トレイ。
【請求項５】
請求項４に記載の長尺シート積載トレイにおいて、
前記載置部の前記接触面で前記載置部の引き出し限度位置に、前記押圧部を嵌め込む凹部を設けたことを特徴とする長尺シート積載トレイ。
【請求項６】
請求項１〜請求項５のいずれか１項に記載の長尺シート積載トレイにおいて、
前記ロック部は、前記載置部が前記手差しトレイに対して水平状態から上方に回動されて前記所定の傾倒角度の傾倒状態になったときに当該傾倒状態を保持することを特徴とする長尺シート積載トレイ。
【請求項７】
請求項１〜請求項６のいずれか１項に記載の長尺シート積載トレイにおいて、
前記ロック部は、前記載置部が前記所定の傾倒角度よりも上方に回動されると前記傾倒状態の保持を解除することを特徴とする長尺シート積載トレイ。
【請求項８】
画像形成装置本体と、前記画像形成装置本体のシート給送側の側面に傾倒可能に設けられた手差しトレイと、前記手差しトレイに取り付けられた請求項１〜請求項７のいずれか１項に記載の長尺シート積載トレイと、を備えることを特徴とする画像形成装置。
【発明の詳細な説明】
【技術分野】
【０００１】
本発明は、長尺シート積載トレイ及び画像形成装置に関する。
【背景技術】
【０００２】
複写機やプリンタ等の画像形成装置には、ＪＩＳ寸法の種々の定型サイズやはがきサイズといった種々の記録媒体を積載するためのトレイが標準で設けられている。短手方向のサイズに対して長手方向のサイズが２倍以上ある長尺シートを積載する場合には、専用のトレイである長尺シート積載トレイが使用される。この長尺シート積載トレイは、一般的に、画像形成装置本体の側面に傾倒可能に設けられた手差しトレイに取り付けられる。
【０００３】
手差しトレイは使用時には画像形成装置本体から展開するが、非使用時には画像形成装置本体に収納している。しかしながら、従来の長尺シート積載トレイを手差しトレイに取り付けた状態で手差しトレイを画像形成装置本体に収納しようとすると、長尺シート積載トレイが画像形成装置本体に干渉するため、手差しトレイを収納できない。
【０００４】
そのため、長尺シート積載トレイを使用しないときでも手差しトレイを展開した状態にしておかなければならない。その結果、設置面積が大きくなるだけでなく、周囲の人の歩行や作業の妨げになる。
【０００５】
一方、手差しトレイを収納するために長尺シート積載トレイを取り外すと、長尺シート積載トレイを収納・保管するためのスペースを別途設ける必要がある。また長尺シート積載トレイを使用するたびに、手差しトレイに長尺シート積載トレイを取り付ける面倒な作業が発生する。
【０００６】
この問題を解決するために、例えば特許文献１に開示されているような長尺シート積載トレイが提案されている。この長尺シート積載トレイは、手差しトレイに上下方向に回動自在に支持されており、手差しトレイの下側に折り畳まれて収納されている。
【発明の概要】
【発明が解決しようとする課題】
【０００７】
しかしながら特許文献１の長尺シート積載トレイは、展開する際に、手差しトレイの下側から上方に折り返さなければならない。また収納する際に、手差しトレイの下側に折り畳まなければならない。そのため、展開や収納が面倒であるという問題がある。
【０００８】
本発明は、このような従来の課題に鑑みてなされたものであり、展開や収納を容易に行うことができる長尺シート積載トレイを提供することを目的とする。
【課題を解決するための手段】
【０００９】
本発明の長尺シート積載トレイは、画像形成装置本体の側面に傾倒可能に設けられた手差しトレイに取付部を介して当該手差しトレイの長さ方向で移動可能に取り付けられ、当該手差しトレイと共に長尺シートを載せる載置部を備え、前記取付部は、前記手差しトレイから引き出された前記載置部を前記手差しトレイに対して上下方向に回動可能に支持させるとともに所定の傾倒角度で保持し、前記載置部が前記手差しトレイに対して上方に回動されて前記所定の傾倒角度の傾倒状態になったときに当該傾倒状態を保持するロック部を備えることを特徴とする。
【発明の効果】
【００１０】
本発明の長尺シート積載トレイによれば、展開や収納を容易に行うことができる。
【図面の簡単な説明】
【００１１】
【図１】本発明の一実施の形態に係る画像形成装置の概略構成図である。
【図２】同実施の形態に係る手差しトレイ及び長尺シート積載トレイの収納状態を示す斜視図である。
【図３】同実施の形態に係る手差しトレイ及び長尺シート積載トレイの展開状態を示す斜視図である。
【図４】同実施の形態に係る補助載置部の斜視図である。
【図５】同実施の形態に係る取付部の構成を示す左側面図である。
【図６】同実施の形態に係る載置部と第１支持部材の斜視図である。
【図７】同実施の形態に係る載置部に第１支持部材が取り付けられた状態の斜視図である。
【図８】図７のＢ部の拡大図である。
【図９】同実施の形態に係る第２支持部材の取り付け状態を示す斜視図である。
【図１０】同実施の形態に係るロック部の動作を説明する図である。
【発明を実施するための形態】
【００１２】
以下、本発明の実施の形態を図にしたがって説明する。
【００１３】
図１は本発明の一実施形態に係る画像形成装置であるタンデム型直接転写方式のカラープリンタ１００の概略構成を示す図である。
【００１４】
このカラープリンタ１００は、１つの手差しトレイ１２０と、２つの給紙カセット１２１、１２２からなる３つの給紙トレイを有している。手差しトレイ１２０より給紙されたシート（転写紙）は給紙手段１２３により最上のものから順に１枚ずつ分離され、レジストローラ対１８へ向けて搬送される。
【００１５】
給紙カセット１２１又は１２２から給紙されたシートＰ（転写紙）は、給紙手段１２４により最上のものから順に１枚ずつ分離され、搬送ローラ対１２５を介してレジストローラ対１８へ向けて搬送される。
【００１６】
給紙されたシートＰは、レジストローラ対１８で一旦停止され、スキューを修正された後、レジストクラッチのオン制御によるレジストローラ対１８の回転動作により転写体としての転写ベルト１５２へ向けて搬送される。この搬送は、後述する最上流に位置する像担持体としての感光体ドラム１１Ｍ上に形成された画像の先端とシートＰの搬送方向の所定位置とが一致するタイミングで行われる。
【００１７】
シートＰは、転写ベルト１５２とこれに当接した紙吸着ローラとで構成される紙吸着ニップを通過する際、紙吸着ローラに印加されるバイアスにより転写ベルト１５２に静電力で吸着され、所定のプロセス線速にて搬送される。
【００１８】
転写ベルト１５２を挟んで各色の像担持体としての感光体ドラム１１Ｍ、１１Ｃ、１１Ｙ、１１Ｂｋに対応した位置には、転写バイアス印加部材としての転写ローラ１５１Ｍ、１５１Ｃ、１５１Ｙ、５１Ｂｋが配置されている。
【００１９】
転写ベルト１５２に吸着されたシートＰには、転写ローラ１５１Ｍ、１５１Ｃ、１５１Ｙ、１５１Ｂｋに、トナーの帯電極性と逆極性の転写バイアスが印加される。これにより、各感光体ドラム１１Ｍ、１１Ｃ、１１Ｙ、１１Ｂｋに作像された各色のトナー像がマゼンタ（Ｍ）、シアン（Ｃ）、イエロー（Ｙ）、ブラック（Ｂｋ）の順で転写される。
【００２０】
各色の転写工程を経たシートＰは、下流側の支持ローラ１２６の部位で転写ベルト１５２から曲率分離され、定着装置１３０へ搬送される。定着装置１３０における定着ベルト１６３と加圧ローラ１６５により構成される定着ニップを通過することにより、トナー像が熱と圧力によりシートＰに定着される。定着がなされたシートＰは、片面印刷モードの場合には、装置本体上面に形成された排紙トレイ１３３へと排出される。
【００２１】
予め両面印刷モードが選択されている場合には、定着装置１３０を出たシートＰは、反転ユニットへ送られ、該ユニットにて表裏を反転されてから転写ユニット１３４の下部に位置する両面搬送ユニット１３５に搬送される。シートＰは該両面搬送ユニット１３５から再給紙され、搬送ローラ対１３６、１２５を経てレジストローラ対１８へ搬送される。以降は、片面印刷モード時と同様の動作を経て定着装置１３０を通過し、排紙トレイ１３３へと排出される。
【００２２】
４つの感光体ドラム１１Ｍ、１１Ｃ、１１Ｙ、１１Ｂｋの周囲には、帯電手段１２Ｍ、１２Ｃ、１２Ｙ、１２Ｂｋ、露光手段１３、現像手段１４Ｍ、１４Ｃ、１４Ｙ、１４Ｂｋ、クリーニング手段１６Ｍ、１６Ｃ、１６Ｙ、１６Ｂｋ等が配置されている。これらは色別の欧文字で区別しているだけで、同様の構成を有している。露光手段１３は、１つのユニットとして形成され、各感光体ドラム１１Ｍ、１１Ｃ、１１Ｙ、１１Ｂｋに対してそれぞれ露光光１３Ｍ、１３Ｃ、１３Ｙ、３Ｂｋを射出する。
【００２３】
感光体ドラム１１Ｍ、１１Ｃ、１１Ｙ、１１Ｂｋは、転写ベルト１５２に当接している。転写ベルト１５２を挟んで感光体ドラム１１Ｍ、１１Ｃ、１１Ｙ、１１Ｂｋにそれぞれ対応する位置には、転写ローラ１５１Ｍ、１５１Ｃ、１５１Ｙ、１５１Ｂｋが配置されている。
【００２４】
転写ベルト１５２は複数の支持部材としての支持ローラ１２６、１２７、１２８、１２９間に掛け回されて張架されている。本実施の形態では、転写バイアス印加部材として転写ローラ１５１Ｍ、１５１Ｃ、１５１Ｙ、１５１Ｂｋを採用したが、ブラシ、ブラシローラ、ブレード等他の形状であってもよい。
【００２５】
次に、カラープリンタ１００に設けられた長尺シート積載トレイ１の構成を説明する。
【００２６】
図２及び図３に示すように、この長尺シート積載トレイ１は、手差しトレイ１２０に載せることができない（手差しトレイ１２０に載せた状態で搬送できない）長いシートである長尺シートを載せるときに使用される。この長尺シートは、例えば、短手方向のサイズに対して長手方向のサイズが２倍以上あるシートである。長尺シート積載トレイ１は、手差しトレイ１２０に取り付けられた載置部２と、載置部２に取り付けられた延長載置部３と、カラープリンタ本体１００ａに取り付けられた補助載置部４とを備えている。
【００２７】
ここで周知であるが、手差しトレイ１２０の構成について説明する。この手差しトレイ１２０は板状に形成されており、Ａ３ノビサイズまでの通常のシートを載せることが可能な大きさに形成されている。この手差しトレイ１２０は、カラープリンタ本体１００ａのシート給送側の側面１００ｂに傾倒可能に設けられている。
【００２８】
これについて具体的に説明する。シート給送側の側面１００ｂには、手差しトレイ１２０を収容する収容部１００ｃが形成されている。収容部１００ｃの中央部分には、給紙口１００ｄ（通常のシート及び長尺シートの搬送口）が設けられている。
【００２９】
手差しトレイ１２０の下端部は、回動軸を介して、給紙口１００ｄの下側に上下方向に回動可能に取り付けられている。さらに手差しトレイ１２０の左右側の中間部分は、支持アーム１２０ａ，１２０ａを介して、給紙口１００ｄの下側に上下方向に回動可能に取り付けられている。
【００３０】
支持アーム１２０ａ，１２０ａは、図２→図３に示すように手差しトレイ１２０を下方に回動させて傾倒させときに所定の傾倒角度で保持するように構成されている。この所定の傾倒角度は、通常のシートまたは長尺シートが手差しトレイ１２０に載せられた状態で搬送可能な傾倒角度である。
【００３１】
また手差しトレイ１２０は、図３→図２に示すように傾倒した状態から上方に回動させることにより収容部１００ｃに収容されるように構成されている。
【００３２】
載置部２は、傾倒した状態の手差しトレイ１２０の下側に取付部５を介して手差しトレイ１２０の長さ方向１２０Ａに移動可能に取り付けられている。
【００３３】
この載置部２は、手差しトレイ１２０と共に長尺シートを載せるように手差しトレイ１２０の長さ方向１２０Ａに長い板状に形成されている。この載置部２は、上方が開口した断面Ｕ字状に形成されている。
【００３４】
載置部２の上端部には、係止部２ａが設けられている。この係止部２ａは、上方に湾曲して形成されている。
【００３５】
延長載置部３は、傾倒した状態の載置部２の上側に載置部２の長さ方向２Ａに移動可能に取り付けられている。この延長載置部３は、手差しトレイ１２０及び載置部２と共に長尺シートを載せるように載置部２の長さ方向２Ａに長い板状に形成されている。また、この延長載置部３は、載置部２内に収容されるように形成されている。
【００３６】
延長載置部３の上端部には、被係止部３ａが設けられている。この被係止部３ａは、載置部２内に収納された状態で載置部２の係止部２ａに着脱可能に係止されるものである。この被係止部３ａは、上方に湾曲して形成されている。
【００３７】
補助載置部４は、カラープリンタ本体１００ａの側面１００ｂの収容部１００ｃにおいて給紙口１００ｄの上側に傾倒した状態で取り付けられている。
【００３８】
これについて具体的に説明する。図４に示すように給紙口１００ｄの上縁には、補助載置部４が取り付けられる取付縁部１００ｅが設けられている。この取付縁部１００ｅ上には、一対の取付片１００ｆ，１００ｆが左右に離れて且つ起立して設けられている。
【００３９】
補助載置部４は、一対の取付片１００ｆ，１００ｆに回転自在に取り付けられた回動軸４２と、回動軸４２に取り付けられた補助載置部本体４１と、回動軸４２の両端部に設けられた一対のトーションバネ４３，４３とを備えている。
【００４０】
補助載置部本体４１は板状に形成されている。この補助載置部本体４１は、図３に示すように手差しトレイ１２０が傾倒された状態で且つ載置部２または載置部２及び延長載置部３が引き出された状態で長尺シートを載せるように形成されている。
【００４１】
具体的に説明すると補助載置部本体４１は、長尺シートが手差しトレイ１２０、載置部２、延長載置部３に載置された状態でカラープリンタ本体１００ａ側に折り返された先端側を載せる。この補助載置部本体４１の下端部には、回動軸４２が挿通される挿通部４１ａが形成されている。
【００４２】
回動軸４２は、補助載置部本体４１の挿通部４１ａに挿通されて一対の取付片１００ｆ，１００ｆに回転自在に取り付けられており、補助載置部本体４１を上下方向に回動させるように構成されている。
【００４３】
トーションバネ４３，４３は、回動軸４２の両端部を取り巻いて設けられている。このトーションバネ４３，４３は、回動軸４２の回転を規制して補助載置部本体４１を所定の傾倒角度に保持するものである。この所定の傾倒角度は、補助載置部本体４１が長尺シートの先端側を載置可能な傾倒角度である。
【００４４】
取付部５は、手差しトレイ１２０から引き出された載置部２を手差しトレイ１２０に対して上下方向に回動可能に支持させるとともに所定の傾倒角度で保持するものである。この所定の傾倒角度とは、長尺シートを載置部２に載せた状態で搬送可能な傾倒角度である。
【００４５】
取付部５は、図５に示すように、載置部２の左右側に取り付けられた第１支持部材５１，５１と、手差しトレイ１２０（図３参照）に取り付けられた第２支持部材５２と、第１支持部材５１，５１と第２支持部材５２とを連結するロック部５３，５３とを備えている。
【００４６】
図５では、取付部５を左側から視た図であるため、右側の第１支持部材５１及びロック部５３は図示していない。また図５では、第２支持部材５２を二点鎖線で図示している。さらに図５では、手差しトレイ１２０を省略している。
【００４７】
最初に第１支持部材５１，５１の構成を説明する。この第１支持部材５１，５１は、載置部２を手差しトレイ１２０の長さ方向１２０Ａに移動可能に支持するものである。各第１支持部材５１は、おおよそ四角形状に形成されている。
【００４８】
図６に示すように第１支持部材５１の内側面側には、載置部２を支持して載置部２の移動を案内するガイド部５１１が設けられている。なお、図６では、第１支持部材５１及び載置部２を上下逆にした状態を示す。
【００４９】
このガイド部５１１は、手差しトレイ１２０の長さ方向１２０Ａに延びる溝状に形成されている。このガイド部５１１は、載置部２の左右側の一方の端部２１を挿入させて摺動させるように形成されている。
【００５０】
ガイド部５１１の上側（図６では下側）には、ガイド部５１１を構成するガイド部上側構成部５１２が形成されている。このガイド部上側構成部５１２の下面５１２ａは、載置部２の端部２１の上面２１ａが接触する。この下面５１２ａは、前後端部（長さ方向１２０Ａの両端部）が他の部分よりも盛り上がって形成されている。これにより下面５１２ａは、凸凹のある面に形成されている。
【００５１】
ガイド部５１１の下側（図６では上側）には、ガイド部５１１を構成する２つのガイド部下側構成部５１３，５１３が長さ方向１２０Ａで離れた状態で形成されている。各ガイド部下側構成部５１３の上面５１３ａは、載置部２の端部２１の下面２１ｂが接触する。
【００５２】
第１支持部材５１の内側には、２つのガイド部下側構成部５１３，５１３の間に押圧部５１４が設けられている。この押圧部５１４は、第１支持部材５１の底部５１ａから上方に湾曲しながら延びる弓状のバネ部５１４ａと、バネ部５１４ａの上端部（先端部）に設けられた突起部５１４ｂとを備えている。
【００５３】
バネ部５１４ａは弾力性（バネ力）を有している。突起部５１４ｂは、バネ部５１４ａの弾力性を利用し、図７に示すように載置部２の端部２１の下面２１ｂを押圧するように構成されている。なお、図７では、第１支持部材５１及び載置部２を上下逆にした状態を示す。
【００５４】
また図８に示すように、載置部２の端部２１の下面２１ｂにおいて載置部２の引き出し限度位置には、押圧部５１４の突起部５１４ｂを嵌め込む凹部２１０ｂが設けられている。なお引き出し限度位置とは、載置部２を引き出すときに第１支持部材５１から抜けない範囲で長尺シートを載せることが可能な引き出し位置である。
【００５５】
また図７に示すように、第１支持部材５１の外側面側には、押圧部５１４よりも前側（引き出し側）にボス部５１５が設けられている。このボス部５１５内には回動軸５４（図５参照）が嵌め込まれている。さらに第１支持部材５１の外側面側においてボス部５１５よりも後側（引き出し側と反対側の収納側）には、嵌合部５１６が設けられている。
【００５６】
次に、第２支持部材５２の構成を説明する。この第２支持部材５２は、図５に示すように第１支持部材５１，５１（載置部２）を回動軸５４及びロック部５３，５５を介して手差しトレイ１２０に上下方向に回動可能に支持させるものである。
【００５７】
図９に示すように第２支持部材５２は、手差しトレイ１２０の上部に取り付けられている。この第２支持部材５２は、手差しトレイ１２０の上面及び左右側面を覆うように取り付けられた第２支持部材本体５２１と、第２支持部材本体５２１の左右の下端に結合された一対の取付片部５２２，５２２とを備えている。なお、図９では、第２支持部材５２を左側から視た図であるため、右側の取付片部５２２は図示していない。
【００５８】
第２支持部材本体５２１は、板状で且つ逆Ｕ字状に形成されている。取付片部５２２は、図５と図９に示すように、第１支持部材５１の外側面及び後面（長さ方向１２０Ａで収納側の面）を覆うように板状で且つＬ字状に形成されている。
【００５９】
図５と図９を用いて具体的に説明すると、この取付片部５２２は、支持部材５１の外側面を覆う側面部５２２ａと、側面部５２２ａの後端に結合されて支持部材５１の後面を覆う後面部５２２ｂとを備えている。
【００６０】
側面部５２２ａの前側（引き出し側）の部分には、支持穴５２２ｃが設けられている。この支持穴５２２ｃには、回動軸５４がカシメで固定されている。
【００６１】
後面部５２２ｂには、第１支持部材５１（載置部２）の回動を規制する規制部５５が設けられている。この規制部５５には、載置部２の端部２１を挿通させる挿通穴５５ａが設けられている。この挿通穴５５ａは、第１支持部材５１のガイド部５１１（図６参照）と繋がるように設置位置が設定されている。
【００６２】
また挿通穴５５ａの設置位置は、載置部２が長尺シートを載置可能な引き出し位置よりも後側（収納側）に設定されている。つまり、載置部２の端部２１が挿通穴５５ａから抜けないと、載置部２が回動できないように構成されている。
【００６３】
次に、ロック部５３，５３の構成を説明する。このロック部５３，５３は、載置部２の上方への回動操作を利用して所定の傾倒角度で保持するとともに、載置部２が所定の傾倒角度よりも上方に回動操作されると載置部２の保持状態を解除するものである。
【００６４】
各ロック部５３は、図５に示すように、取付片部５２２の側面部５２２ａに回転自在に設けられたロック部材５３１と、弾性部材５３２と、第１支持部材５１に固定された被ロック部材５３３とを備えている。
【００６５】
ロック部材５３１は、取付片部５２２の内側面において左側（収納側）に設けられている。このロック部材５３１の右側（引き出し側）には係止部５３１ａが突出して形成されている。
【００６６】
弾性部材５３２は、一端部がロック部材５３１の左側に固定されており、他端部が規制部５５の近傍に設けられているフック５２２ｄ（図９参照）に掛けられている。この弾性部材５３２は、ロック部材５３１が不用意に回転しないようにロック部材５３１を規制部５５の方に引っ張ってロック部材５３１の姿勢を保持している。
【００６７】
被ロック部材５３３は、第１支持部材５１の長さ方向（手差しトレイ１２０の長さ方向）に長い板状に形成されている。この被ロック部材５３３は、第１支持部材５１の外側面に固定されている。
【００６８】
具体的に説明すると、被ロック部材５３３の右側部分には、ボス部用固定穴５３３ａが設けられている。このボス部用固定穴５３３ａには、第１支持部材５１のボス部５１５が嵌め込まれている。
【００６９】
被ロック部材５３３においてボス部用固定穴５３３ａよりも左側には、嵌合部用固定穴５３３ｂが設けられている。この嵌合部用固定穴５３３ｂには、第１支持部材５１の嵌合部５１６が嵌め込まれている。
【００７０】
また被ロック部材５３３は、第１支持部材５１に固定されていることにより、第１支持部材５１の回動動作と同調するようになっている。
【００７１】
ボス部５１５内には、前述したように回動軸５４が嵌め込まれており、回動軸５４は取付片部５２２の支持穴５２２ｃ（図９参照）にカシメで固定されている。したがって被ロック部材５３３は、第１支持部材５１に固定された状態で回動軸５４を介して取付片部５２２に回動可能に支持されている。またこれにより第１支持部材５１，５１及び載置部２は、回動軸５４を介して第２支持部材５２及び手差しトレイ１２０に回動可能に支持されている。
【００７２】
被ロック部材５３３の左側部分には、ロック部材５３１の係止部５３１ａに係止される被係止部５３３ｃが形成されている。この被係止部５３３ｃは、係止部５３１ａの上面で係止されるように逆Ｌ字状に形成されている。被係止部５３３ｃが係止部５３１ａに係止される動作について図１０を用いて説明する。
【００７３】
図１０の（ａ）→（ｂ）に示すように載置部２が第２支持部材５２（手差しトレイ１２０）に対して水平な状態から上方に回動していくと、第１支持部材５１，５１及び被ロック部材５３３も上方に回動していく。
【００７４】
図１０の（ｂ）に示すように載置部２が所定の傾倒角度で傾倒された状態になると、被ロック部材５３３の被係止部５３３ｃがロック部材５３１の係止部５３１ａの上面で係止される。これにより載置部２は、所定の傾倒角度の傾倒状態で保持される。
【００７５】
図１０の（ｂ）→（ｃ）に示すように、載置部２を所定の傾倒角度よりも上方に回動させると、被係止部５３３ｃが係止部５３１ａから外れる。これにより載置部２の所定の傾倒角度による傾倒状態の保持が解除される。
【００７６】
以上のように構成されている長尺シート積載トレイ１において、展開操作と収納操作を説明する。
【００７７】
（展開操作）
（１）図２→図３に示すように手差しトレイ１２０を下方に回動させて展開させる。
（２）載置部２を取付部５に支持された状態で手差しトレイ１２０から引き出し、図８に示すように凹部２１０ｂに押圧部５１４の突起部５１４ｂを嵌め込む。このときに載置部２は規制部５５（図９参照）から抜ける。これにより載置部２は、第１支持部材５１，５１と共に回動可能な状態になる。
（３）載置部２を図１０の（ａ）→（ｂ）に示すように上方に回動させていく。図１０の（ｂ）に示すように載置部２が所定の傾倒角度の傾倒状態になると被ロック部材５３３がロック部材５３１に係止され、載置部２は所定の傾倒角度の傾倒状態で保持される。これにより載置部２は展開した状態になる。
（４）図３に示すように延長載置部３を載置部２から限度まで引き出して展開させる。補助載置部４は、手差しトレイ１２０を展開させたときに露出して展開された状態になる。
【００７８】
（収納操作）
（１）延長載置部３を収納方向（図３に示す載置部２の長さ方向２Ａで下方向）に移動させて載置部２内に収納し、被係止部３ａを載置部２の係止部２ａに係止させる。
（２）載置部２を図１０の（ｂ）→（ｃ）に示すように所定の傾倒角度よりも上方に回動させる。これにより被ロック部材５３３がロック部材５３１から外れて載置部２の傾倒状態の保持が解除される。
（３）載置部２を下方に回動させて第１支持部材５１，５１を手差しトレイ１２０に当てる。この状態で載置部２を収納方向（図３に示す手差しトレイ１２０の長さ方向１２０Ａで下方向）に移動させて載置部２及び延長載置部３を手差しトレイ１２０の下側に収容する。
（４）手差しトレイ１２０を図３→図２に示すように上方に回動させて収容部１００ｃに収容する。これにより補助載置部４は手差しトレイ１２０で覆われて収納された状態になる。
【００７９】
次に、本実施の形態の長尺シート積載トレイ１の効果を列挙して説明する。
【００８０】
本実施の形態の長尺シート積載トレイ１は、手差しトレイ１２０に取付部５を介して手差しトレイ１２０の長さ方向１２０Ａで移動可能に取り付けられ、手差しトレイ１２０と共に長尺シートを載せる載置部２を備える。
【００８１】
これにより載置部２を手差しトレイ１２０の長さ方向１２０Ａに移動させることにより展開または収納が可能になる。したがって展開の際に手差しトレイ１２０の下側から上方に折り返す面倒な操作がなくなり、収納の際に手差しトレイ１２０の下側に折り畳む面倒な操作がなくなる。よって、本実施の形態の長尺シート積載トレイ１は、展開や収納を容易に行うことができる。
【００８２】
また本実施の形態の長尺シート積載トレイ１は、取付部５は、手差しトレイ１２０から引き出された載置部２を手差しトレイ１２０に対して上下方向に回動可能に支持させるとともに所定の傾倒角度で保持するようにした。これにより長尺シートは上側部分が起き上った状態で載置部２に載せられるので垂れ下がるのが抑えられる。よって、本実施の形態の長尺シート積載トレイ１は、長尺シートを安定して載せることができる。
【００８３】
また本実施の形態の長尺シート積載トレイ１は、載置部２に載置部２の長さ方向２Ａで移動可能に取り付けられ、手差しトレイ１２０及び載置部２と共に長尺シートを載せる延長載置部３を備える。これにより載置部２だけでは載せることができないより長いサイズの長尺シートを載せることが可能になる。よって、本実施の形態の長尺シート積載トレイ１は、サイズが異なる多くの種類の長尺シートを安定して載せることができる。
【００８４】
また本実施の形態の長尺シート積載トレイ１は、取付部５で載置部２が長尺シートを載置可能な引き出し位置よりも収納側に、載置部２の回動を規制する規制部５５を設けた。これにより載置部２は、長尺シートを載置可能な引き出し位置で確実に回動することが可能になる。したがって長尺シートは上側部分が確実に起き上がった状態で載置部２に載せられるので垂れ下がるのが確実に抑えられる。よって、本実施の形態の長尺シート積載トレイ１は、長尺シートをより安定して載せることができる。
【００８５】
また本実施の形態の長尺シート積載トレイは、取付部５に、載置部２を支持して載置部２の移動を案内するガイド部５１１を設けた。これにより載置部２の展開または収納に際して、載置部２を手差しトレイ１２０の長さ方向１２０Ａにスムーズに移動させることが可能になる。よって、本実施の形態の長尺シート積載トレイ１は、展開や収納をさらに容易に行うことができる。
【００８６】
また本実施の形態の長尺シート積載トレイ１は、取付部５に、載置部２のガイド部５１１との接触面である端部２１の下面２１ｂを弾性力により押圧する押圧部５１４を設けた。これにより載置部２は、下面２１ｂが押圧部５１４に押された状態で移動するので揺動するのが抑えられ、スムーズに移動させることが可能になる。よって、本実施の形態の長尺シート積載トレイ１は、展開や収納をさらに容易に行うことができる。
【００８７】
また本実施の形態の長尺シート積載トレイ１は、載置部２の下面２１ｂで載置部２の引き出し限度位置に、押圧部５１４を嵌め込む凹部２１０ｂを設けた。これにより使用者は、載置部２を限度まで引き出したことを容易に感じることが可能になる。よって、本実施の形態の長尺シート積載トレイ１は、操作感を上げることができる。
【００８８】
また本実施の形態の長尺シート積載トレイ１は、載置部２を摺動させるようにガイド部５１１を形成した。これにより載置部２の展開または収納の際には載置部２をさらにスムーズに移動させることが可能になる。よって、本実施の形態の長尺シート積載トレイ１は、展開や収納をさらに容易に行うことができる。
【００８９】
また本実施の形態の長尺シート積載トレイ１は、ガイド部５１１において載置部２と摺動可能に接触するガイド部側接触面である下面５１２ａを凹凸のある面に形成した。これにより下面５１２ａを平坦な面に形成する場合に比べて下面５１２ａの精度を容易に確保することが可能になり、製造コストを抑えることが可能になる。よって、本実施の形態の長尺シート積載トレイ１は、製造コストを抑えて展開や収納を容易に行うことができる。
【００９０】
また本実施の形態の長尺シート積載トレイ１は、取付部５は、載置部２が手差しトレイ１２０に対して水平状態から上方に回動されて所定の傾倒角度の傾倒状態になったときに当該傾倒状態を保持するロック部５３を備える。したがって載置部２の展開に際して載置部２を容易に傾倒状態にすることが可能になる。よって、本実施の形態の長尺シート積載トレイ１は、展開をさらに容易に行うことができる。
【００９１】
また本実施の形態の長尺シート積載トレイ１は、ロック部５３は、載置部２が所定の傾倒角度よりも上方に回動されると傾倒状態の保持を解除するようにした。したがって、載置部２の収納に際して載置部２の傾倒状態の保持の解除を容易に行うことが可能になる。よって、本実施の形態の長尺シート積載トレイ１は、収納をさらに容易に行うことができる。
【００９２】
また本実施の形態の長尺シート積載トレイ１は、手差しトレイ１２０、載置部２、延長載置部３に載せられた長尺シートをカラープリンタ本体１００ａ側に折り返した状態でその先端側を載せる補助載置部４を備える。これにより載置部２及び延長載置部３だけでは載せることができないより長いサイズの長尺シートを載せることが可能になる。よって、本実施の形態の長尺シート積載トレイ１は、サイズが異なる多くの種類の長尺シートを安定して載せることができる。
【００９３】
また補助載置部４は、補助載置部本体４１をバネ力で所定の傾倒角度に保持するトーションバネ４３，４３を備える。これにより補助載置部本体４１に無理な力を加えなくても長尺シートの先端側を安定して載せることが可能になる。よって、本実施の形態の長尺シート積載トレイ１は、長尺シートをさらに安定して載せることができる。
【００９４】
また本実施の形態のカラープリンタ１００は、上記の長尺シート積載トレイ１を備えることで長尺シート積載トレイ１の展開や収納を容易に行うことが可能になるので、利便性を上げることができる。
【００９５】
以上、本発明に係る実施の形態を例示したが、この実施の形態は本発明の内容を限定するものではない。また、本発明の請求項の範囲を逸脱しない範囲であれば、各種の変更等は可能である。
【００９６】
例えば、本実施の形態のカラープリンタ１００では、長尺シート積載トレイ１をシート給送側に備えたが、シート排出側に備えても良い。また長尺シート積載トレイ１をシート給送側とシート排出側の双方に備えても良い。
【符号の説明】
【００９７】
１    長尺シート積載トレイ
２    載置部
２Ａ    載置部の長さ方向
３    延長載置部
２１ｂ    載置部の端部の下面（ガイド部との接触面）
５３    ロック部
５５    規制部
１００    カラープリンタ（画像形成装置）
１００ａ    カラープリンタ本体（画像形成装置本体）
１００ｂ    カラープリンタ本体の側面
１２０    手差しトレイ
１２０Ａ    手差しトレイの長さ方向
２１０ｂ    凹部
５１１    ガイド部
５１４    押圧部
【先行技術文献】
【特許文献】
【００９８】
【特許文献１】特開２００９−５７１７５号公報
【図１】
0006596981.tif 000002
【図２】
0006596981.tif 000003
【図３】
0006596981.tif 000004
【図４】
0006596981.tif 000005
【図５】
0006596981.tif 000006
【図６】
0006596981.tif 000007
【図７】
0006596981.tif 000008
【図８】
0006596981.tif 000009
【図９】
0006596981.tif 000010
【図１０】
0006596981.tif 000011